(57)【要約】【課題】  クラウンを変形させてコンパクトな状態にでき収納や持ち運びを容易にすると共に、緩衝体が簡単な単一の構造を有する保護帽子を提供する。【解決手段】  保護帽子Ｈ１は帽子本体１と緩衝体２を備えている。帽子本体１はクラウン１０とつば部１１を備えている。クラウン１０は、複数のクラウン構成部材１２を折り曲げ自在な連結部１３を介して縫着して構成してある。各クラウン構成部材１２は、表布片１００と裏布片１０１の間に緩衝体２を挟んで形成してある。緩衝体２は、外側に衝撃力の分散を図る準硬質部２０を有し、内側にクッション性を有する軟質部２１を備えた二層構造の単一の構成を有している。緩衝体２の準硬質部２０には、両端側に残部を残して細長穴２００が形成してある。【選択図】        図１
2007224465.tif 000002
【特許請求の範囲】
【請求項１】
全体として変形性または柔軟性を有するクラウン(10)を備えている保護帽子であって、
当該クラウン(10)は複数のクラウン構成部材(12)を折り曲げ自在な連結部(13)を介して連結することにより構成され、
各クラウン構成部材(12)には単一の緩衝体(2)を内蔵または含んでおり、当該緩衝体(2)は少なくとも二層構造を有し、内側にはクッション性を有する軟質部(21)を、外側には衝撃力の分散を図るべく準硬質部(20)または準剛性部を配置してあり、
上記緩衝体(2)は、少なくともクラウン頂部側からの押圧力で変形し、上記折り曲げ自在な連結部(13)と相俟ってクラウン(10)の変形を助ける、
保護帽子。
【請求項２】
クラウン構成部材(12)は布の間に緩衝体(2)を有することによって構成され、上記クラウン構成部材(12)は縫着によって連結してある、
請求項１記載の保護帽子。
【請求項３】
緩衝体(2)は、両端または一端に残部を残して打ち抜きまたは切除によって形成された横方向に細長い細長穴(200)を少なくとも準硬質部(20)または準剛性部に有し、当該細長穴(200)はクラウン(10)の下部から頂部にかけて複数個設けてあり、緩衝体(2)は、上記残部により個々に分離されることなく連結され、上記細長穴(200)はクラウン頂部側からの押圧力による緩衝体(2)の変形を容易にしている、
請求項１または２記載の保護帽子。
【請求項４】
緩衝体(2)は、横方向の全長または概略全長にわたると共に内面側に通じないよう形成された溝または切込線を準硬質部(20)または準剛性部に有し、上記溝または切込線はクラウン(10)の下部から頂部にかけて複数本設けられてクラウン頂部側からの押圧力による変形を容易にしている、
請求項１または２記載の保護帽子。
【発明の詳細な説明】
【技術分野】
【０００１】
本発明は保護帽子に関する。更に詳しくは、クラウンを変形させてコンパクトな状態にでき収納や持ち運びを容易にすると共に、緩衝体が簡単な単一の構造を有するものに関する。また、機能性だけでなく、外観や使用に当たっての違和感もなくしたものに関する。
【背景技術】
【０００２】
例えば、ゴルフのラウンド時には、打ったボールが他のプレイヤーやギャラリーの頭部を直撃するという事故が起こる可能性がある。ゴルフボールの飛来事故は死亡事故となる場合もあり大変危険である。
【０００３】
このような事故から怪我を防止するものとして、例えば特許文献１に示す保護帽子が提案されている。この帽子は、クラウンの外側全体が硬質の合成樹脂で形成されており、その内側に発泡させた合成樹脂を設けて構成されている。
【０００４】
しかし、上記した従来の保護帽子は、全体が硬質の合成樹脂で形成されているので、いわばヘルメットのようであり、クラウンを変形させてコンパクトな状態にできなかった。そのため収納や持ち運びが不便であった。
【０００５】
この課題を解決するものとして特許文献２に開示された発明がある。この保護帽子によれば、クラウンを変形させてコンパクトな状態にでき、収納や持ち運びが容易である。
【０００６】
【特許文献１】実開平３−６３３７０号公報
【特許文献２】特開２００５−３３６６７０号公報
【発明の開示】
【発明が解決しようとする課題】
【０００７】
しかし、特許文献２に開示された発明は、次の点について十分でなかった。
この保護帽子は、柔軟性を有する略三角形状のれんげを互いに縫い合わせて半球形状のクラウンを形成し、各れんげに対応するよう個々に緩衝体を内蔵した構造を有している。この場合に用いる緩衝体は、保護帽子としてのクラウンがつぶれるようにしなければならなかったので、袋体内に複数個の衝撃吸収部材を入れて、袋体内でこの衝撃吸収部材がずれて重ならないように袋体に縫い目を設けて区画し、衝撃吸収部材の間の部分から変形できるようにするという複雑な構造を有していた。従って、緩衝体の製造に多大な手間がかかっていた。
【０００８】
ところで昨今では保護帽子といえども、機能性の追求だけでなくファッション性も要求される。普及するためには外観や使用に当たっての便利性は通常の帽子と変わらないようして違和感を無くし、しかも保護帽子としての機能は確保する必要がある。
【０００９】
本発明の目的は、クラウンを変形させてコンパクトな状態にでき収納や持ち運びを容易にすると共に、緩衝体が簡単な単一の構造を有する保護帽子を提供することにある。
また、本発明の他の目的は、機能性だけでなく、外観や使用に当たっての違和感もなくした保護帽子を提供することにある。
【課題を解決するための手段】
【００１０】
上記目的を達成するために本発明が講じた手段は次のとおりである。
本発明は、全体として変形性または柔軟性を有するクラウンを備えている保護帽子であって、当該クラウンは複数のクラウン構成部材を折り曲げ自在な連結部を介して連結することにより構成され、各クラウン構成部材には単一の緩衝体を内蔵または含んでおり、当該緩衝体は少なくとも二層構造を有し、内側にはクッション性を有する軟質部を、外側には衝撃力の分散を図るべく準硬質部または準剛性部を配置してあり、上記緩衝体は、少なくともクラウン頂部側からの押圧力で変形し、上記折り曲げ自在な連結部と相俟ってクラウンの変形を助ける、保護帽子である。
【００１１】
クラウン構成部材は布の間に緩衝体を有することによって構成され、上記クラウン構成部材は縫着によって連結してあることが好ましい。
【００１２】
緩衝体は、両端または一端に残部を残して打ち抜きまたは切除によって形成された横方向に細長い細長穴を少なくとも準硬質部または準剛性部に有し、当該細長穴はクラウンの下部から頂部にかけて複数個設けてあり、緩衝体は、上記残部により個々に分離されることなく連結され、上記細長穴はクラウン頂部側からの押圧力による緩衝体の変形を容易にしていることが好ましい。
【００１３】
緩衝体は、横方向の全長または概略全長にわたると共に内面側に通じないよう形成された溝または切込線を準硬質部または準剛性部に有し、上記溝または切込線はクラウンの下部から頂部にかけて複数本設けられてクラウン頂部側からの押圧力による変形を容易にしていることが好ましい。この場合における溝または切込線が通じないようにする内面は、軟質部の内面も含むし、軟質部と接する準硬質部または準剛性部の内面も含む。
【００１４】
緩衝体は、横方向の全長または概略全長にわたって形成された溝または切込線を準硬質部または準剛性部に有し、溝または切込線が形成されている箇所の厚み方向の一部は残して残部を形成し、上記溝または切込線はクラウンの下部から頂部にかけて複数本設けられてクラウン頂部側からの押圧力による変形を容易にしていることが好ましい。この場合における残部は、溝または切込線を準硬質部または準剛性部に形成した際に、この準硬質部または準剛性部の内面と溝または切込線との間に残った部分を指している。
【００１５】
緩衝体を構成する準硬質部または準剛性部は、ゴルフボール等が衝突した場合に衝撃力の分散を図ることができれば、例えば、合成樹脂（ＦＲＰも含む）、金属、竹材や木材、これらの複合物等が好適に使用可能である。準硬質部または準剛性部は、折り曲げた場合でも元の状態に戻るものが好適である。軟質部はクッション性を有していれば、例えば、綿、ゴム（天然ゴム、合成ゴムを含む）、合成樹脂製のもの（発泡しているもの、発泡していないものも含む）が好適に使用可能である。
【００１６】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１７】
（作  用）
本発明に係る保護帽子の作用を説明する。
本発明に係る保護帽子は、複数のクラウン構成部材(12)が折り曲げ自在な連結部(13)を介して連結してあり、各クラウン構成部材(12)に内蔵または含んである緩衝体(2)が、少なくともクラウン頂部側からの押圧力で変形するよう構成してクラウン(10)が形成してあるので、クラウン(10)は頂部側からの押圧力によって変形可能である。
【００１８】
本発明に係る保護帽子によれば、例えば、ゴルフボール用のボールがクラウン(10)に当たった場合でも、緩衝体(2)の準硬質部(20)または準剛性部によって衝撃力の分散を図り、衝撃を和らげることができる。
【００１９】
本発明に係る保護帽子は、複数のクラウン構成部材(12)を折り曲げ自在な連結部(13)を介して連結することによりクラウン(10)が構成されているので、通常の帽子と同等の外観を呈せしめる。
【００２０】
緩衝体(2)が、両端または一端に残部を残して打ち抜きまたは切除によって形成された横方向に細長い細長穴(200)を備えたものは、上記細長穴(200)によりクラウン頂部側からの押圧力による変形が容易である。また、細長穴(200)は通気性を兼ねるようにすることもできる。
【００２１】
緩衝体(2)が、横方向の全長または概略全長にわたると共に内面側に通じないよう準硬質部(20)または準剛性部に溝または切込線を形成したものは、上記溝または切込線によりクラウン頂部側からの押圧力による変形が容易である。
【発明の効果】
【００２２】
本発明は上記構成を備え、次の効果を有する。
（ａ）本発明に係る保護帽子は、複数のクラウン構成部材が折り曲げ自在な連結部を介して連結してあり、各クラウン構成部材に内蔵または含んである緩衝体が、少なくともクラウン頂部側からの押圧力で変形するよう構成してクラウンが形成してあるので、クラウンは頂部側からの押圧力によって変形可能である。
【００２３】
（ｂ）本発明に係る保護帽子によれば、例えば、ゴルフボール用のボールがクラウンに当たった場合でも、緩衝体の準硬質部または準剛性部によって衝撃力の分散を図り、衝撃を和らげることができ怪我をし難い。
【００２４】
（ｃ）本発明に係る保護帽子は、緩衝体が単一の構成であり、従来の緩衝体より構造が簡単であるので、製造にかかる手間等の軽減を図ることができる。
【００２５】
（ｄ）本発明に係る保護帽子は、複数のクラウン構成部材を折り曲げ自在な連結部を介して連結することによりクラウンが構成されているので、通常の帽子と同等の外観を呈せしめる。つまり、本発明に係る保護帽子は、外観や使用に当たっての違和感もなくすことができる。
【００２６】
（ｅ）緩衝体が、両端または一端に残部を残して打ち抜きまたは切除によって形成された横方向に細長い細長穴を備えたものは、上記細長穴によりクラウン頂部側からの押圧力による変形が容易である。
【００２７】
（ｆ）緩衝体が、横方向の全長または概略全長にわたると共に内面側に通じないよう準硬質部または準剛性部に溝または切込線を形成したものは、上記溝または切込線によりクラウン頂部側からの押圧力による変形が容易である。
【発明を実施するための最良の形態】
【００２８】
本発明の実施の形態を図面に基づき更に詳細に説明する。
図１は本発明に係る保護帽子の一実施の形態を示す斜視説明図、
図２は図１に示す保護帽子に内蔵してある緩衝体を拡大して示す斜視説明図、
図３は図２に示す緩衝体の縦断面説明図、
図４は図１に示す保護帽子を上方から力を加えて変形させた状態を示す斜視説明図である。
【００２９】
符号Ｈ１はキャップ状の保護帽子を示している。保護帽子Ｈ１は帽子本体１と緩衝体２を備えている。
帽子本体１はクラウン１０とつば部１１を備えている。クラウン１０は、複数のクラウン構成部材１２を折り曲げ自在な連結部１３を介して縫着することにより略半球形状に構成してある。本実施の形態では６個のクラウン構成部材１２を連結したものを好適な例として示している。また、クラウン構成部材１２の連結は縫着に限定するものではない。
【００３０】
各クラウン構成部材１２は、縦長略三角形状の表布片１００と、この表布片１００と略相似形状を有する裏布片１０１を備え、間に緩衝体２を挟むように表布片１００と裏布片１０１を縫い合わせて形成してある。
【００３１】
表布片１００と裏布片１０１は、帽子のクラウンを形成する一般的な織布で形成してある。また、表布片１００と裏布片１０１は通気性を有している。なお、クラウン１０を構成する表布片１００や裏布片１０１は、「ゴア」または「れんげ」と称されることもある。
【００３２】
緩衝体２について詳述する。
緩衝体２は、外部から受けた衝撃を和らげるためのものである。各緩衝体２は単一の構成を有しており、外形状が表布片１００や各裏布片１０１よりやや小さく、クラウン１０に沿うよう全体がやや湾曲した縦長略三角形状を有している。
【００３３】
各緩衝体２は、外側に衝撃力の分散を図る準硬質部２０を有し、内側にクッション性または柔軟性を有する軟質部２１が配置された二層構造を有している。
緩衝体２の準硬質部２０には、両端側に残部を残して細長穴２００が横方向（幅方向）に形成してある。細長穴２００はクラウン１０の下部から頂部にかけて所要間隔をあけて並行に複数個形成してある。細長穴２００は、緩衝体２が縦長略三角形状に形成してあるので、頂部にかけて段々と長さが短くなる。緩衝体２は上記残部により個々に分離されることなく形成されている。
【００３４】
細長穴２００の内側に対応する軟質部２１の部分、細長穴２００の両端側に残した準硬質部２０の残部及びこの残部と対応する軟質部２１は、折曲部２２を構成する。折曲部２２は、力を加えることにより細長穴２００に沿って横方向に折曲線が延びるよう曲げることができる。つまり、細長穴２００によりクラウン頂部側からの押圧力による変形を容易にしている。緩衝体２は、例えばクラウン頂部側からの押圧力で折曲部２２から変形し、折り曲げ自在な連結部１３と相俟ってクラウン１０の変形を助ける。なお、折曲部２２となる部分は図２において一点鎖線にて示している。
【００３５】
緩衝体２の軟質部２１には、小孔が全体にわたって設けてあり、細長穴２００と対応する位置に配置されたものは通気可能な通気部２１０となる。
【００３６】
上記した軟質部２１は発泡合成樹脂製のものが好適である。また、準硬質部２０は合成樹脂製のものが好適である。例えば、準硬質部２０は衝突したゴルフボール等を跳ね返すことができる程度の硬さを備えている。より詳しくは力を加えて曲げた場合でも元の状態に戻る変形性、可撓性または弾性を備えているものが好適である。
【００３７】
（作  用）
図１ないし図４を参照して、本実施の形態で示す保護帽子Ｈ１の作用を説明する。
保護帽子Ｈ１は帽子本体１のクラウン１０を頭部に被って着用する。保護帽子Ｈ１によれば、例えば、ゴルフボール用のボールがクラウン１０に当たった場合でも、緩衝体２の準硬質部２０によって衝撃力の分散を図り、軟質部２１によって当たったときの衝撃を和らげることができる。従って、ボールがクラウン１０に当たった場合でも怪我をし難い。
【００３８】
保護帽子Ｈ１は、例えば図４に示すようにクラウン頂部側から押圧力を与えれば、緩衝体２を折曲部２２から変形させて容易につぶすことができる。こうして保護帽子Ｈ１は、クラウン１０を変形させてコンパクトな形状にできるので収納効率が良い。また、持ち運びが容易であり、携帯にも便利である。
【００３９】
保護帽子Ｈ１は、上記のように変形させた場合でも、準硬質部２０の残部が元の状態に戻る変形性、可撓性または弾性を有していれば、使用時には元の形状にも容易に復帰し、型くずれし難い。
【００４０】
保護帽子Ｈ１は、緩衝体２に通気部２１０があり、クラウン構成部材１２を構成する表布片１００と裏布片１０１も通気性を有するので、長時間着用した場合でもクラウン１０の内外部で通気可能であり蒸れが防止できる。
【００４１】
保護帽子Ｈ１を構成する緩衝体２は、準硬質部２０と軟質部２１を重ねて表布片１００や裏布片１０１よりやや小さい縦長略三角形状にし、クラウン１０に沿うよう全体をやや湾曲させた単一の構成を有するので、従来の緩衝体より構造が簡単であり、製造にかかる手間や材料等の軽減を図ることができる。
【００４２】
保護帽子Ｈ１は、外部の衝撃から頭部を保護するだけでなく、表布片１００や裏布片１０１を備えるクラウン構成部材１２でクラウン１０を形成することによって、通常のキャップ状の帽子と同等の外観を呈せしめる。つまり、保護帽子Ｈ１は、外観や使用に当たっての違和感もなくすことができる。
【００４３】
図５は本発明に係る保護帽子の他の実施の形態を示す斜視説明図、
図６は図５に示す保護帽子に内蔵してある天部緩衝体及び側部緩衝体を拡大して示す斜視説明図、
図７は側部緩衝体の縦断面説明図、
図８は図５に示す保護帽子を上方から力を加えて変形させた状態を示す斜視説明図である。
【００４４】
符号Ｈ２はハット状の保護帽子を示している。保護帽子Ｈ２は帽子本体１ａと、天井部緩衝体３と側部緩衝体４を備えている。
帽子本体１ａはクラウン１０ａとつば部１１ａを備えている。つば部１１ａは柔軟性を有する布で形成してあり、クラウン１０ａの全周にわたって設けてある。
【００４５】
クラウン１０ａは、筒形状を有する側部と、略円形状の天井部を備えている。クラウン１０ａの側部は、複数のクラウン側部構成部材１２ａを折り曲げ自在な連結部１３ａを介して縫着することにより筒形状に形成してある。また、クラウン１０ａの天井部は、略円形状のクラウン天井部構成部材１２ｂで形成してある。
【００４６】
クラウン１０ａは、連結部１３ａで連結したクラウン側部構成部材１２ａに、連結部１３ｂを介してクラウン天井部構成部材１２ｂを縫着することにより形成してある。
【００４７】
各クラウン天井部構成部材１２ａは、縦長略台形状の表布片１００ａと、この表布片１００ａと略相似形状を有する裏布片１０１ａを備え、間に側部緩衝体４を挟むように表布片１００ａと裏布片１０１ａを縫い合わせて形成してある。
【００４８】
クラウン天井部構成部材１２ｂは、略円形状の表布片１００ｂと、この表布片１００ｂと略相似形状を有する裏布片１０１ｂを備え、間に天井部緩衝体３を挟むように表布片１００ｂと裏布片１０１ｂを縫い合わせて形成してある。
【００４９】
表布片１００ａと裏布片１０１ａ、表布片１００ｂと裏布片１０１ｂは、帽子のクラウンを形成する一般的な織布で形成してある。また、表布片１００ａと裏布片１０１ａ、表布片１００ｂと裏布片１０１ｂは、通気性を有している。
【００５０】
天井部緩衝体３と側部緩衝体４は、外部から受けた衝撃を和らげるためのものである。
天井部緩衝体３は単一の構成であり、外形状が表布片１００ｂや裏布片１０１ｂよりやや小さい略円形状を有している。天井部緩衝体３は、外側に衝撃力の分散を図る準硬質部３０を有し、内側にクッション性または柔軟性を有する軟質部３１が配置された二層構造を有している。
【００５１】
天井部緩衝体３の準硬質部３０には、細長穴３００が略中心位置から同心円形状に拡がって直径の異なるものが複数形成してある。細長穴３００は、同じ直径のものでも各所に残部を形成して断続的に形成してある。天井部緩衝体３は上記残部により個々に分離されることなく形成されている。
【００５２】
天井部緩衝体３の軟質部３１には、小孔が全体にわたって設けてあり、細長穴３００と対応する位置に配置されたものは通気可能な通気部３１０となる。
【００５３】
側部緩衝体４は単一の構成であり、外形状が表布片１００ａや各裏布片１０１ａよりやや小さく、クラウン１０ａの側部に沿うよう全体がやや湾曲した縦長略台形状を有している。側部緩衝体４は、外側に衝撃力の分散を図る準硬質部４０を有し、内側にクッション性または柔軟性を有する軟質部４１が配置された二層構造を有している。
【００５４】
側部緩衝体４の準硬質部４０には、両端側または中央部に残部を残して細長穴４００が横方向（幅方向）に形成してある。細長穴４００はクラウン１０の下部から頂部にかけて所要間隔をあけて並行に複数個形成してある。側部緩衝体４は上記残部により個々に分離されることなく形成されている。
【００５５】
細長穴４００の内側に対応する軟質部４１の部分、細長穴４００の端側に残した準硬質部４０の残部及びこの残部と対応する軟質部４１は、折曲部４２を構成する。折曲部４２は、力を加えることにより細長穴４００に沿って横方向に折曲線が延びるよう曲げることができる。つまり、細長穴４００によりクラウン頂部側からの押圧力による変形を容易にしている。側部緩衝体４は、例えばクラウン頂部側からの押圧力で折曲部４２から変形し、折り曲げ自在な連結部１３ａや連結部１３ｂと相俟ってクラウン１０ａの変形を助ける。なお、折曲部４２となる部分は図６において一点鎖線にて示している。
【００５６】
側部緩衝体４の軟質部４１には、小孔が全体にわたって設けてあり、細長穴４００と対応する位置に配置されたものは通気可能な通気部４１０となる。
【００５７】
上記した軟質部３１、軟質部４１は発泡合成樹脂製のものが好適である。また、準硬質部３０、準硬質部４０は合成樹脂製のものが好適である。例えば、準硬質部３０、準硬質部４０は衝突したゴルフボール等を跳ね返すことができる程度の硬さを備えている。より詳しくは力を加えて曲げた場合でも元の状態に戻る変形性、可撓性または弾性を備えているものが好適である。
【００５８】
（作  用）
図５ないし図８を参照して、本実施の形態で示す保護帽子Ｈ２の作用を説明する。
保護帽子Ｈ２は帽子本体１ａのクラウン１０ａを頭部に被って着用する。保護帽子Ｈ２によれば、例えば、ゴルフボール用のボールがクラウン１０ａに当たった場合でも、天井部緩衝体３の準硬質部３０や側部緩衝体４の準硬質部４０によって衝撃力の分散を図り、軟質部３１や軟質部４１によって当たったときの衝撃を和らげることができる。従って、ボールがクラウン１０ａに当たった場合でも怪我をし難い。
【００５９】
保護帽子Ｈ２は、例えば図８に示すようにクラウン頂部側から押圧力を与えれば、側部緩衝体４を折曲部４２から変形させて容易につぶすことができる。こうして保護帽子Ｈ２は、変形させてコンパクトな形状にできるので収納効率が良い。また、持ち運びが容易であり、携帯にも便利である。
【００６０】
保護帽子Ｈ２は、上記のように変形させた場合でも、準硬質部４０の残部が元の状態に戻る変形性、可撓性または弾性を有していれば、使用時には元の形状にも容易に復帰し、型くずれし難い。
【００６１】
保護帽子Ｈ２は、天井部緩衝体３に通気部３１０があり、側部緩衝体４にも通気部４１０が設けてあり、クラウン側部構成部材１２ａを構成する表布片１００ａと裏布片１０１ａ、クラウン天井部構成部材１２ｂを構成する表布片１００ｂと裏布片１０１ｂも通気性を有するので、長時間着用した場合でもクラウン１０ａの内外部で通気可能であり蒸れが防止できる。
【００６２】
保護帽子Ｈ２を構成する天井部緩衝体３は、準硬質部３０と軟質部３１を重ねて表布片１００ｂや裏布片１０１ｂよりやや小さい略円形状にした単一の構成を有している。また、側部緩衝体４は、準硬質部４０と軟質部４１を重ねて表布片１００ａや裏布片１０１ａよりやや小さい縦長略台形状にした単一の構成を有している。つまり、天井部緩衝体３及び側部緩衝体４は、従来の緩衝体より構造が簡単であるので、製造にかかる手間や材料等の軽減を図ることができる。
【００６３】
保護帽子Ｈ２は、外部の衝撃から頭部を保護するだけでなく、クラウン側部構成部材１２ａやクラウン天井部構成部材１２ｂでクラウン１０ａを形成することによって、通常のハット状の帽子と同等の外観を呈せしめる。つまり、保護帽子Ｈ２は、外観や使用に当たっての違和感もなくすことができる。
【００６４】
なお、緩衝体（天井部緩衝体、側部緩衝体を含む）は、例えば、図９に示すような細長穴が準硬質部の横方向に全長にわたって設けてある（細長穴の両側に準硬質部の残部がない）ものでも良い。この場合では細長穴の内側に対応する部分（軟質部）が折曲部２２ａとなる。なお、折曲部２２ａとなる部分は一点鎖線にて示している。また、図９に示す緩衝体は細長穴形状の一例を示すものであり、緩衝体自体の外形状等は限定されない。
【００６５】
また、上記実施の形態で緩衝体２、天井部緩衝体３、側部緩衝体４は、準硬質部の内側全面に軟質部を設けた構造のものを示したが、これも限定するものではなく、軟質部は準硬質部より小さい形状のものを複数個設けることで形成しても良い。
【００６６】
上記実施の形態で帽子本体を構成するクラウン及びつば部は、綿製の布を用いて形成した。しかし、帽子本体を形成する材料はこれに限定するものではなく、例えば、絹や麻等の天然繊維製のもの、合成繊維製のものを使用することもできる。
【００６７】
上記実施の形態で緩衝体は、準硬質部を合成樹脂で形成し、軟質部を柔軟性を有する発泡合成樹脂で形成した。しかし、これは限定するものではなく、準硬質部は衝撃力の分散を図ることができれば、例えば、他の合成樹脂（ＦＲＰも含む）、金属、竹材や木材、これらの複合物等が好適に使用でき、また、軟質部は衝撃を和らげることができれば、例えば、綿等の天然のものや、他の合成樹脂製のもの（発泡していないものも含む）が好適に使用できる。
【００６８】
上記実施の形態において保護帽子は、キャップ状やハット状のものを例に挙げて説明したが、これは帽子本体の形状を限定するものではない。保護帽子は、例えばハンチング状等の種々の形状のものが採用できる。
【００６９】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００７０】
【図１】本発明に係る保護帽子の一実施の形態を示す斜視説明図。
【図２】図１に示す保護帽子に内蔵してある緩衝体を拡大して示す斜視説明図。
【図３】図２に示す緩衝体の縦断面説明図。
【図４】図１に示す保護帽子を上方から力を加えて変形させた状態を示す斜視説明図。
【図５】本発明に係る保護帽子の他の実施の形態を示す斜視説明図。
【図６】図５に示す保護帽子に内蔵してある天部緩衝体及び側部緩衝体を拡大して示す斜視説明図。
【図７】側部緩衝体の縦断面説明図。
【図８】図５に示す保護帽子を上方から力を加えて変形させた状態を示す斜視説明図。
【図９】残部が形成されないよう細長穴を形成した状態の緩衝体を示す斜視説明図。
【符号の説明】
【００７１】
Ｈ１，Ｈ２  保護帽子
１，１ａ  帽子本体
１０，１０ａ  クラウン
１００  表布片
１００ａ  表布片
１００ｂ  表布片
１０１  裏布片
１０１ａ  裏布片
１０１ｂ  裏布片
１１，１１ａ  つば部
１２  クラウン構成部材
１２ａ  クラウン側部構成部材
１２ｂ  クラウン天井部構成部材
１３，１３ａ，１３ｂ  連結部
２  緩衝体
２０  準硬質部
２００  細長穴
２１  軟質部
２１０  通気部
２２，２２ａ  折曲部
３  天井部緩衝体
３０  準硬質部
３００  細長穴
３１  軟質部
３１０  通気部
４  側部緩衝体
４０  準硬質部
４００  細長穴
４１  軟質部
４１０  通気部
４２  折曲部
【図１】
2007224465.tif 000003
【図２】
2007224465.tif 000004
【図３】
2007224465.tif 000005
【図４】
2007224465.tif 000006
【図５】
2007224465.tif 000007
【図６】
2007224465.tif 000008
【図７】
2007224465.tif 000009
【図８】
2007224465.tif 000010
【図９】
2007224465.tif 000011
【手続補正書】
【提出日】平成18年10月20日(2006.10.20)
【手続補正１】
【補正対象書類名】特許請求の範囲
【補正対象項目名】全文
【補正方法】変更
【補正の内容】
【特許請求の範囲】
【請求項１】
全体として変形性または柔軟性を有するクラウン(10)を備えている保護帽子であって、  当該クラウン(10)は複数のクラウン構成部材(12)を折り曲げ自在な連結部(13)を介して連結することにより構成され、
各クラウン構成部材(12)には単一の緩衝体(2)を内蔵または含んでおり、当該緩衝体(2)は少なくとも二層構造を有し、内側にはクッション性を有する軟質部(21)を、外側には衝撃力の分散を図るべく準硬質部(20)または準剛性部を配置してあり、
上記緩衝体(2)は、少なくともクラウン頂部側からの押圧力で変形し、上記折り曲げ自在な連結部(13)と相俟ってクラウン(10)の変形を助け、
更に、上記緩衝体(2)は、両端または一端に残部を残して打ち抜きまたは切除によって形成された横方向に細長い細長穴(200)を少なくとも準硬質部(20)または準剛性部に有し、当該細長穴(200)はクラウン(10)の下部から頂部にかけて複数個設けてあり、緩衝体(2)は、上記残部により個々に分離されることなく連結され、上記細長穴(200)はクラウン頂部側からの押圧力による緩衝体(2)の変形を容易にしている、
保護帽子。
【請求項２】
全体として変形性または柔軟性を有するクラウン(10)を備えている保護帽子であって、  当該クラウン(10)は複数のクラウン構成部材(12)を折り曲げ自在な連結部(13)を介して連結することにより構成され、
各クラウン構成部材(12)には単一の緩衝体(2)を内蔵または含んでおり、当該緩衝体(2)は少なくとも二層構造を有し、内側にはクッション性を有する軟質部(21)を、外側には衝撃力の分散を図るべく準硬質部(20)または準剛性部を配置してあり、
上記緩衝体(2)は、少なくともクラウン頂部側からの押圧力で変形し、上記折り曲げ自在な連結部(13)と相俟ってクラウン(10)の変形を助け、
上記クラウン構成部材(12)は布の間に緩衝体(2)を有することによって構成され、上記クラウン構成部材(12)は縫着によって連結してあり、
更に、上記緩衝体(2)は、両端または一端に残部を残して打ち抜きまたは切除によって形成された横方向に細長い細長穴(200)を少なくとも準硬質部(20)または準剛性部に有し、当該細長穴(200)はクラウン(10)の下部から頂部にかけて複数個設けてあり、緩衝体(2)は、上記残部により個々に分離されることなく連結され、上記細長穴(200)はクラウン頂部側からの押圧力による緩衝体(2)の変形を容易にしている、
保護帽子。
【手続補正書】
【提出日】平成18年11月24日(2006.11.24)
【手続補正１】
【補正対象書類名】明細書
【補正対象項目名】００１２
【補正方法】変更
【補正の内容】
【００１２】
緩衝体は、両端または一端に残部を残して打ち抜きまたは切除によって形成された横方向に細長い細長穴を少なくとも準硬質部または準剛性部に有し、当該細長穴はクラウンの下部から頂部にかけて複数個設けてあり、緩衝体は、上記残部により個々に分離されることなく連結され、上記細長穴はクラウン頂部側からの押圧力による緩衝体の変形を容易にしている。